(57)【要約】【課題】衣装人形、木彫り人形等を、虫やかび等の被害をなくすことの出来る人形の製造方法を提供すること。【解決手段】芯胴に、あるいは衣装に、あるいは芯胴と衣装との両方に、カーボンを含む塗料、特に備長炭を含む塗料で塗装処理する工程を附加したり、又、芯胴や衣装に備長炭を収納するための収納部を形成する工程を附加するようにしたものである。【効果】防虫、防湿、防臭、防かび効果、イオン効果、ヒーリング効果があり、環境に良い。【選択図】図１
2004337221.tif 000002
【特許請求の範囲】
【請求項１】
少なくとも人形の胴体部分をなす芯胴を形成する工程を有する人形の裸形を形成する工程と、この人形の裸形を覆う衣装を形成するとともに、この衣装を前記人形の裸形に着せ付ける工程とを有する人形の製造方法において、
前記芯胴を形成する工程の後に、この芯胴を、カーボンを含む塗料で塗装処理する工程を附加すること
を特徴とする人形の製造方法。
【請求項２】
前記芯胴は、わらを主体として形成されていること
を特徴とする請求項１に記載の人形の製造方法。
【請求項３】
前記芯胴は、木材で形成されていること
を特徴とする請求項１に記載の人形の製造方法。
【請求項４】
前記芯胴を、前記カーボンを含む塗料で塗装処理する工程を附加する代わりに、前記衣装を形成する工程の前に、この衣装の生地を、前記カーボンを含む塗料で塗装処理する工程を附加すること
を特徴とする請求項１〜請求項３にそれぞれ記載の人形の製造方法。
【請求項５】
前記芯胴を形成する工程の後と、前記衣装を形成する工程の前とに、それぞれ前記芯胴と前記衣装の生地とを、前記カーボンを含む塗料で塗装処理する工程を附加すること
を特徴とする請求項１〜請求項３にそれぞれ記載の人形の製造方法。
【請求項６】
前記カーボンを含む塗料による塗装処理方法は、この塗料液中に、前記芯胴を、あるいは前記衣装の生地を、あるいは前記芯胴と前記衣装の生地とを前記カーボンを含む塗料に浸すこと
を特徴とする請求項１〜請求項５にそれぞれ記載の人形の製造方法。
【請求項７】
前記カーボンを含む塗料の塗装処理方法は、この塗料を、前記芯胴に、あるいは前記衣装の生地に、あるいは前記芯胴と前記衣装の生地とに前記カーボンを含む塗料を塗布すること
を特徴とする請求項１〜請求項５にそれぞれ記載の人形の製造方法。
【請求項８】
前記カーボンを含む塗料の塗装処理方法は、このカーボンを含む塗料を、前記芯胴に、あるいは前記衣装の生地に、あるいは前記芯胴と前記衣装の生地とに前記カーボンを含む塗料を吹き付けること
を特徴とする請求項１〜請求項５にそれぞれ記載の人形の製造方法
【請求項９】
前記カーボンを含む塗料は、木材から製造した木炭を超微粒子に特殊加工して塗料化したものであること
を特徴とする請求項１〜請求項８にそれぞれ記載の人形の製造方法。
【請求項１０】
前記木材から製造した木炭は、備長炭であること
を特徴とする請求項９に記載の人形の製造方法。
【請求項１１】
前記カーボンを含む塗料は、水性塗料であること
を特徴とする請求項７〜請求項１０にそれぞれ記載の人形の製造方法。
【請求項１２】
前記芯胴を形成する工程の後に、この芯胴を前記カーボンを含む塗料で塗装処理する工程の代わりに、前記芯胴に、木炭を収納するための収納部を形成する工程と、この収納部に前記木炭を収納する工程とを附加すること
を特徴とする請求項１〜請求項３にそれぞれ記載の人形の製造方法。
【請求項１３】
前記芯胴の収納部に収納した前記木炭は、備長炭であること
を特徴とする請求項１２に記載の人形の製造方法。
【請求項１４】
前記衣装の生地を、前記カーボンを含む塗料で塗装処理する工程の代わりに、衣装の形成工程におけるいずれかの段階で、前記衣装に木炭を収納するための収納部を形成する工程と、この収納部に前記木炭を収納する工程とを附加すること
を特徴とする請求項４〜請求項５にそれぞれ記載の人形の製造方法。
【請求項１５】
前記衣装の収納部に収納した前記木炭は、備長炭であること
を特徴とする請求項１４に記載の人形の製造方法。
【請求項１６】
少なくとも人形の胴体部分をなす芯胴を形成する工程を有する人形の裸形を形成する工程と、この人形の裸形を覆う衣装を形成するとともに、この衣装を前記人形の裸形に着せ付ける工程とを有する人形の製造方法において、
前記人形の衣装を形成する工程の前に、この衣装の生地を、カーボンを含む繊維で形成する工程を附加すること
を特徴とする人形の製造方法。
【請求項１７】
前記カーボンを含む繊維は、木材から製造した木炭を含む繊維であること
を特徴とする請求項１６に記載の人形の製造方法。
【請求項１８】
前記木炭は、備長炭であること
を特徴とする請求項１７に記載の人形の製造方法。
【請求項１９】
少なくとも木彫り人形の裸形を製造する工程と、この木彫り人形の裸形に、衣装のデザインを着色する工程とを有する木彫り人形の製造方法において、
前記木彫り人形の裸形に、衣装のデザインを着色する工程の前に、前記裸形をカーボンを含む塗料で塗装処理する工程を附加したこと
を特徴とする木彫り人形の製造方法。
【請求項２０】
前記カーボンを含む塗料の塗装処理方法は、この塗料液中に、前記木彫り人形の裸形を浸すこと
を特徴とする請求項１９に記載の人形の製造方法。
【請求項２１】
前記カーボンを含む塗料の塗装処理方法は、この塗料を、前記木彫り人形の裸形に塗布すること
を特徴とする請求項１９に記載の人形の製造方法。
【請求項２２】
前記カーボンを含む塗料の塗装処理方法は、この塗料を、前記木彫り人形の裸形に吹き付けること
を特徴とする請求項１９に記載の人形の製造方法
【請求項２３】
前記カーボンを含む塗料は、木材から製造した木炭を超微粒子に特殊加工して塗料化したものであること
を特徴とする請求項１９〜請求項２２にそれぞれ記載の木彫り人形の製造方法。
【請求項２４】
前記木材から製造した木炭は、備長炭であること
を特徴とする請求項２３に記載の木彫り人形の製造方法。
【請求項２５】
前記カーボンを含む塗料は、水性塗料であること
を特徴とする請求項１９〜請求項２４にそれぞれ記載の木彫り人形の製造方法。
【請求項２６】
前記木彫り人形の裸形に前記カーボンを含む塗料で塗装処理する工程の代わりに、前記木彫り人形の裸形に、木炭を収納する収納部を形成するとともに、この収納部に木炭を収納する工程を附加すること
を特徴とする請求項１９に記載の木彫り人形の製造方法。
【請求項２７】
前記木炭は、備長炭であること
を特徴とする請求項２６に記載の木彫り人形の製造方法。
【発明の詳細な説明】
【０００１】
【発明の属する技術分野】
この発明は、人形の胴体部分をなす芯胴を内蔵し、又、それぞれ着物や洋服等が着せ付けられている日本人形や西洋人形等のように、布製の衣装を着た人形や木彫り人形等の人形の製造方法に関し、特に、芯胴に、あるいは衣装に、あるいは芯胴と衣装との両方に、カーボンを含む塗料で塗装処理する工程を附加した人形の製造方法に関するものである。
【０００２】
【従来の技術】
従来、人形の造形技法には、各種のものがあるが、使用されている材料を主体に各技法から分類すると、（１）土偶、土人形等のように、土から造形される土人形、（２）紙人形、張り子人形、紙塑人形等のように、紙から造形される紙人形、（３）木彫り人形、桐塑人形等のように、木から造形される木彫り人形、（４）着物や洋服を着ている衣装人形、木目込み人形、縫いぐるみ人形等のように、布から造形されている衣装人形と大きく４つに分類される。
【０００３】
そして、ひな人形、五月人形、市松人形等のように、日本独特の着物等を着た日本人形や古来のあるいは現代的な洋服を着た西洋人形等は、衣装人形に属し、又、木材や桐塑で形成した人形本体に筋彫りして、これに布を木目込むことにより衣装を着せ付けた木目込み人形も同様に衣装人形に属している。
【０００４】
ここで、従来の衣装人形の代表的な製造方法について、図９〜図１１に基づいて説明する。
図９は人形の裸形を形成する工程を示すもので、まず、衣装人形を支持するとともに、人形の胴体部分をなす芯胴が形成される。代表的な芯胴としては、木材で形成したもの、わらを紐や針金等により縛りわら胴を形成し、さらにこのわら胴全体に和紙を貼って形成したもの、発砲スチロールで芯胴が形成されているもの等がある（ステップ１００）。
【０００５】
次に、頭や手足を準備する（ステップ１０１）。この頭と手足は、別の制作工程（図示せず）で形成され、いずれも胡紛仕上げされている。次いで、足に針金を差し込み、接着剤で芯胴に固定する。この際、頭とのプロポーションを考えて両足を芯胴に固定する（ステップ１０２）。
【０００６】
次に、芯胴から露出している足の針金部分に綿を巻き、その上を和紙で包み込んで、足と芯胴との間に露出している針金部分を補填する（ステップ１０３）。同様にして、図１１に示すように、腕となる針金Ｂを芯胴Ａに挿入するとともに、腕と芯胴とを接着剤で固定した後（ステップ１０４）、足と同様に、芯胴Ａから突出している腕の針金部部に綿を巻き、その上を和紙で包み込んで腕の針金部分を補填する（ステップ１０５）と人形の裸形が完成する（ステップ１０６）。なお、手と頭は、いずれも胡紛仕上げされているので、通常は、汚れを避けるために、襟作りや袖口作りをした後に、この襟口や袖口のなかに差し込まれる。
【０００７】
このようにして人形の裸形が完成すると（ステップ１０６）、図１０に示すように、人形の衣装を形成し、これを着せ付ける工程に入る。まず、衣装生地やこの生地の裏打ちを行う和紙等の準備を行う（ステップ１０７）。次いで、襟布をパイプに巻き、一定の帯状に形成して襟を形成する（ステップ１０８）。次に、身頃を準備し、裏に厚手の和紙を袋貼りした後（ステップ１０９）、両袖にふきを付け（ステップ１１０）、裾のふきに綿を入れてふっくらとさせ（ステップ１１１）、衣装の仕上げを行う（ステップ１１２）。この衣装の裾に綿を入れて下着の裾を重ね、下着の重ねを作る（ステップ１１３）。このようにして形成した衣装の要所に綿を入れて形を整えながら人形に着せ付ける（ステップ１１４）。
【０００８】
最後に、胡紛仕上げされている手と頭が、襟作りや袖口作りをした襟口と袖口のなかにそれぞれ差し込まれる（ステップ１１５）。なお、衣装人形は、帯を中心にして、上見頃と下見頃の二つに分割し、さらに、袖、襟、前帯、後帯と分けて、基本的にはそれらを全部糊針貼りで形成される。
【０００９】
又、衣装人形に属する木目込み人形の場合（図示せず）には、胴体部分の芯胴は、木材を彫って人形の形状に形成した木彫り人形形式のものや木屑（おが屑）を漆で練り、これを木芯にしてモデリングした桐塑人形形式のものとがある。このようにして形成した木彫りや桐塑の胴体部分をなす芯胴の生地には、胡紛を塗り、置き上げをして磨いて、人形本体に相当する芯胴が形成される。この芯胴に首の太さ、手（足）の太さに合わせて頭や手（足）を取付付るための首の穴、手（足）の穴を丸刀でそれぞれ整える。
【００１０】
次いで、木彫りや桐塑の芯胴に、衣装を木目込むための筋彫りを行う。このようにして完成した裸形の人形に、和紙をのせて衣装の型紙を形成する。この型紙を布地の上に置いて止め、型紙に沿って布地を裁断する。このようにして裁断された各布地は、下着から上着へと重ねる順に、木目込まれる。
【００１１】
【発明が解決しようとする課題】
このように、衣装人形の制作工程は、大きく分けて、裸形の人形を制作する工程と、この裸形の人形を覆う衣装を形成し、着せ付けるための工程とに分けられる。そして、完成した衣装人形には、木材、わら、和紙、顔料、胡紛、衣装の繊維、漆、膠、ふのり等、多くの材料が使用されている。又、大量生産するために、合成樹脂等の新素材を使用したもの等もある。
【００１２】
このように、人形には多くの材料が使用されているのに、全く防虫処理が施されることなく、製造されているので、害虫の被害を受けやすいという問題があった。特に、わらで形成した芯胴や木材で形成した芯胴や人形の衣装は、害虫の被害にあうという問題があった。又、外からの害虫だけでなく、時にはわらや木材中に生息していた害虫による被害も発生するという問題もあった。特に、衣装人形は、布製の衣装の繊維、和紙、これらを糊付けするための糊等、多くの材料が使用されているため、害虫がつきやすいという問題があった。その上、これらの衣装人形は、押入や納戸等の湿気の多い場所に長期間収納される場合が多く、人形が湿気を吸収し、そのためにカビが付着し易いという問題もあった。
【００１３】
そこで、ひな人形や五月人形のように、年に一度展示され、その他の期間は箱に収納されて押入や納戸等にしまわれているような衣装人形の場合には、害虫による被害を防止するために、箱の中にナフタリン等の防虫剤や乾燥剤等の化学薬品が入れられていた。
【００１４】
しかしながら、長期間保存している間には、防虫剤や乾燥剤等の化学薬品により、人形の衣装が変色したり、又、発砲スチロール等の合成樹脂を使用しているものは、人形が溶けてしまうという問題があった。さらに、衣装に化学繊維を使用している場合には、ホルムアルデヒド等の化学物質が発生し、環境に良くないという問題もあった。
【００１５】
【課題を解決するための手段】
請求項１に係わる発明は、少なくとも人形の胴体部分をなす芯胴を形成する工程を有する人形の裸形を形成する工程と、この人形の裸形を覆う衣装を形成するとともに、この衣装を人形の裸形に着せ付ける工程とを有する人形の製造方法において、芯胴を形成する工程の後に、この芯胴を、カーボンを含む塗料で塗装処理する工程を附加するようにしたものである。
【００１６】
請求項２に係わる発明は、芯胴をわらを主体として形成し、請求項３に係わる発明は、芯胴を木材で形成したものである。
【００１７】
請求項４に係わる発明は、芯胴にカーボンを含む塗料で塗装処理する工程を附加する代わりに、裸形の人形の衣装を形成する工程の前に、この衣装の生地を、カーボンを含む塗料で塗装処理する工程を附加するようにしたものである。
【００１８】
請求項５に係わる発明は、芯胴を形成する工程の後と、衣装を形成する工程の前とに、それぞれ芯胴と衣装の生地とを、カーボンを含む塗料で塗装処理する工程を附加するようにしたものである。
【００１９】
請求項６〜請求項８に係わる発明は、それぞれカーボンを含む塗料による塗装処理方法は、この塗料液中に芯胴を、あるいは衣装の生地を、あるいは芯胴と衣装の生地とをカーボンを含む塗料に浸し、塗布し、吹き付けるようにしたものである。
【００２０】
請求項９に係わる発明は、カーボンを含む塗料は、木材から製造した木炭を超微粒子に特殊加工して塗料化したものであり、請求項１０に係わる発明は、木材から製造した木炭は、備長炭であり、請求項１１に係わる発明は、カーボンを含む塗料は、水性塗料としたものである。
【００２１】
請求項１２に係わる発明は、芯胴を形成する工程の後に、この芯胴をカーボンを含む塗料で塗装処理する工程の代わりに、芯胴に、木炭を収納するための収納部を形成する工程と、この収納部に木炭を収納する工程とを附加し、請求項１３に係わる発明は、芯胴の収納部に収納した木炭は備長炭にしたものである。
【００２２】
請求項１４に係わる発明は、衣装の生地を、カーボンを含む塗料で塗装処理する工程の代わりに、衣装の形成工程におけるいずれかの段階で、衣装に木炭を収納するための収納部を形成する工程と、この収納部に木炭を収納する工程とを附加し、請求項１５に係わる発明は、衣装の収納部に収納した木炭は、備長炭にしたものである。
【００２３】
請求項１６に係わる発明は、少なくとも人形の胴体部分をなす芯胴を形成する工程を有する人形の裸形を形成する工程と、この人形の裸形を覆う衣装を形成するとともに、この衣装を人形の裸形に着せ付ける工程とを有する人形の製造方法において、人形の衣装を形成する工程の前に、この衣装の生地を、カーボンを含む繊維で形成する工程を附加し、請求項１７に係わる発明は、カーボンを含む繊維は、木材から製造した木炭を含む繊維であり、請求項１８に係わる発明は、木炭は、備長炭としたものである。
【００２４】
請求項１９に係わる発明は、少なくとも木彫り人形の裸形を形成する工程と、この木彫り人形の裸形に、衣装のデザインを着色する工程とを有する木彫り人形の製造方法において、木彫り人形の裸形に、衣装のデザインを着色する工程の前に、裸形をカーボンを含む塗料で塗装処理する工程を附加し、請求項２０〜請求項２２に係わる発明は、それぞれカーボンを含む塗料の塗装処理方法は、この塗料液中に、木彫り人形の裸形を浸し、カーボンを含む塗料を、木彫り人形の裸形に塗布し、又は、吹き付けるようにしたものである。
【００２５】
請求項２３に係わる発明は、カーボンを含む塗料は、木材から製造した木炭を超微粒子に特殊加工して塗料化したものであり、請求項２４に係わる発明は、木材から製造した木炭は、備長炭にし、請求項２５に係わる発明は、カーボンを含む塗料は、水性塗料としたものである。
【００２６】
請求項２６に係わる発明は、木彫り人形の裸形にカーボンを含む塗料で塗装処理する工程の代わりに、木彫り人形の裸形に、木炭を収納する収納部を形成するとともに、この収納部に木炭を収納する工程を附加し、請求項２７に係わる発明は、木炭は、備長炭にしたものである。
【００２７】
【発明の実施の態様】
【実施例１】
この発明の第１の実施例を、衣装人形を例にとり、図１、図１１に基づいて詳細に説明する。図１は、この発明の第１の実施例を示すもので、人形の裸形を形成する手順を示す要部工程図である。
【００２８】
図１、図１１において、芯胴Ａの材料として、わらあるいは木材を準備する（ステップ１）。わらの芯胴Ａを用いる場合には、まず、わらをワイヤーで束ねたわら胴を形成する。このわら胴を適当に切断して整える。次いで、この整えたわら胴全体に和紙を貼り付けて人形の芯胴Ａを形成する（ステップ２）。一方、木材で芯胴Ａを形成する場合には、木材を適当に切断して、図１１に示すような芯胴Ａを形成する（ステップ２）。
【００２９】
次いで、この芯胴１は、カーボンを含む塗料で塗装処理が施される（ステップ３）。ここで、この実施例１の場合には、カーボンを含む塗料としては、木炭の一種である備長炭を超微細粒子に特殊加工して塗料化した、水性の塗料が使用されている。
【００３０】
なお、カーボンを含む塗料としては、この実施例１の場合には、木炭である備長炭が使用されているが、その他の木炭でも良い。即ち、木炭には、黒炭と白炭とがあり、備長炭は白炭に属しており、硬度が大で、手が汚れにくいという利点がある。一方、黒炭には、流木炭、桃炭（ももの木から製造した木炭）、竹炭（竹から製造した木炭）等があり、白炭ほどの硬度はなく、手が黒くなるとの欠点はあるが、カーボンを含む塗料として使用することが出来、同様な作用効果がある。
【００３１】
次いで、形成された芯胴Ａを、カーボンを含む塗料により塗装処理するために、備長炭を含む塗料の水性液中に浸される（ステップ３）。なお、このカーボンを含む塗料の塗装処理方法としては、その他に、カーボンを含む塗料を、芯胴Ａの表面に刷毛等で塗布する方法や吹き付ける方法等があり、如何なる方法を用いても良く、いずれも同様な作用効果がある。
【００３２】
次いで、従来例を示す図９において説明したと同様に、別の制作工程（図示せず）で形成された頭、手足を準備し（ステップ４）、まず、通常は、足に針金を差し込み、接着剤で芯胴Ａに固定する（ステップ５）。次に、芯胴Ａから露出している足の針金部分に綿を巻き、その上を和紙で包み込んで、足と芯胴Ａとの間に露出している針金部分を補填する（ステップ６）が、図１１に示す芯胴Ａは、座り雛のものであるから、ステップ５からステップ６迄の足の形成に関する手順は、省略される。
【００３３】
次いで、図１１に示すように、腕となる針金Ｂを芯胴Ａに貫通させるとともに、この針金Ｂと芯胴Ａとを接着剤で固定した後（ステップ７）、芯胴Ａから突出している針金部分に綿を巻き、その上を和紙で包み込んで腕の針金部分を補填すると（ステップ８）、人形の裸形が完成する（ステップ９）。
【００３４】
このようにして完成した人形の裸形には、従来例を示す図１０に示す手順で、衣装が形成され（ステップ１０７〜ステップ１１３）、着せ付けられる（ステップ１１４）。最後に、別の制作工程で形成された頭と手とが、それぞれ取り付けられ（ステップ１１５）、衣装人形が完成する（ステップ１１６）。
【００３５】
このように、芯胴Ａは、カーボンを含む塗料として備長炭を含む塗料により塗装処理されているので、防虫効果、防湿効果、防臭効果、防かび効果がある。さらに、備長炭によるイオン効果、ヒーリング効果もあり、環境に良好である。又、かびの発生もない等の効果がある。又、衣装やその他の付属品が化学製品で形成され、ホルムアルデヒド等の体に有害な化学物質が発生する場合にも、この有害な物質を吸収することが出来る。なお、備長炭を含む塗料以外の他の木炭を含む塗料を使用しても良く、同様な作用効果がある。
【００３６】
【実施例２】
この発明の第２の実施例は、上記実施例１では芯胴を塗装処理して人形の裸形を形成したが、この実施例２の場合には、芯胴をカーボンを含む塗料により塗装処理する代わりに、完成した裸形の人形を覆う衣装を、カーボンを含む塗料により塗装処理するようにしたものである。図２は、この発明の第２の実施例を示すもので、人形の裸形を覆う衣装を形成し、この衣装を裸形の人形に着せ付ける手順を示す要部工程図である。
【００３７】
先ず、従来例を示す図９に示す手順で、人形の裸形を形成する（ステップ１００〜ステップ１０６）。次に、図２において、完成した裸形の人形が着る下着や上着を形成するための衣装用の生地や裏打ち用の和紙等を準備する（ステップ１０）。次いで、これら衣装用の生地から上着、下着等の衣装を形成する工程の前に、これらの衣装の一部を、カーボンを含む塗料により塗装処理を施す（ステップ１１）。ここで、実施例１の場合と同様に、カーボンを含む塗料としては、木炭の一種である備長炭を超微細粒子に特殊加工して塗料化した水性の塗料が使用されている。
【００３８】
なお、木炭を含む塗料は黒色であるから、塗装処理すると生地が黒くなるので、下着となる衣装生地やあるいは、裏打ちする和紙を塗装処理するのが望ましい。
【００３９】
次いで、襟布をパイプに巻き、一定の帯状に形成して襟を形成し（ステップ１２）、身頃を準備し、裏に厚手の和紙を袋貼りした後（ステップ１３）、両袖にふきを付け（ステップ１４）、裾のふきに綿を入れてふっくらとさせ（ステップ１５）、次いで、衣装の仕上げを行う（ステップ１６）。次に、下着の裾を重ねる（ステップ１７）。このようにして形成した衣装の要所に綿を入れて形を整えながら、従来例の図１０に示す工程で形成した裸形の人形に着せ付ける（ステップ１８）。
【００４０】
最後に、胡紛仕上げされている手と頭が、襟作りや袖口作りをした襟口と袖口のなかにそれぞれ差し込まれ（ステップ１９）、衣装人形が完成する（ステップ２０）。なお、衣装人形は、帯を中心にして、上見頃と下見頃の二つに分割し、さらに、袖、襟、前帯、後帯と分けて、基本的にはそれらを全部糊針貼りで形成される。
【００４１】
なお、縫いぐるみ人形（図示せず）のように、芯胴が針金のみで形成されている場合には、実施例１のように、芯胴を塗装処理することができないので、衣装を塗装処理するようにした実施例２の方法が適している。あるいは、内部に詰める綿や和紙等を塗装処理しても良い。
【００４２】
このようにしたので、上記実施例１と同様な作用効果がある。その上、衣装を直接この発明による備長炭を含む塗料により塗装処理しているので、防虫、防臭、防湿、防かび効果は勿論の事、人形の鑑賞者に対するイオン効果、ヒーリング効果が実施例１の場合のものよりさらに良くなるという効果がある。なお、実施例１の場合と同様に、備長炭の代わりに、その他の木炭を含む塗料を使用しても良く、同様な作用効果がある。
【００４３】
【実施例３】
この発明の第３の実施例は、芯胴を形成する工程の後と、裸形の人形を覆う衣装用の生地から上着、下着等の衣装を形成する工程の前とに、それぞれ芯胴と衣装とを、カーボンを含む塗料により塗装処理するようにしたものである。
【００４４】
図３はこの発明の第３の実施例を示す要部工程図である。上記実施例１で説明したと同様に、芯胴の材料から（ステップ２１）芯胴を形成した後（ステップ２２）、カーボンを含む塗料により第１回目の塗装処理を施す（ステップ２３）。次に、図１に基づいて実施例１で説明したように、裸形の人形を完成させる（ステップ２４〜ステップ２９）。
【００４５】
次に、上記実施例２で説明したと同様に、完成した裸形の人形が着る下着や上着を形成するための衣装用の生地や裏打ち用の和紙等を準備し（ステップ３０）、これら衣装用の生地を、カーボンを含む塗料により、第２回目の塗装処理を施す（ステップ３１）。この場合、実施例２の場合と同様に、下着や裏打ち用の和紙を、カーボンを含む塗料により塗装処理することが望ましい。以下の工程は、実施例２の図２に示すステップ１２以下の説明と同様であるから、その説明は省略する。
【００４６】
ここで、この実施例３の場合には、上記実施例１及び実施例２の場合と同様に、カーボンを含む塗料としては、木炭の一種である備長炭を超微細粒子に特殊加工して塗料化した水性の塗料が使用されている。なお、その他の木炭を含む塗料を使用しても良く、同様な作用効果がある。
【００４７】
このようにしたので、上記実施例１及び実施例２と同様な作用効果がある。その上、芯胴及び衣装とに、それぞれ備長炭を含む塗料により塗装処理をしているので、防虫、防臭、防湿、防かび効果は勿論の事、人形の鑑賞者に対するイオン効果、ヒーリング効果が、実施例１及び実施例２の場合のものよりさらに良くなる効果がある。
【００４８】
【実施例４】
この発明の第４の実施例は、実施例１のように、芯胴をカーボンを含む塗料で塗装処理する代わりに、芯胴に木炭を収納するための収納部を形成するとともに、この収納部に木炭を収納するようにしたものである。
【００４９】
図４はこの発明の第４の実施例を示す要部工程図である。上記実施例１で説明したと同様に、芯胴を形成した後（ステッップ３２〜ステップ３３）、この芯胴の内部をくり抜いて木炭を収納するための収納部を形成する（ステップ３４）。次いで、この収納部に木炭を収納する（ステップ３５）。この際、収納部の開口部は、和紙等の通気性のある部材で覆うと良い。
【００５０】
なお、この実施例４の場合には、木炭としては、最も防虫、防湿、防臭効果のよい備長炭が使用されているが、その他の木炭であっても良く、同様な作用効果がある。なお、収納部に収納される木炭は、固形状であっても良く、あるいは収納しやすいように、砕いた状態のものでも、又、粉末状にしたものであっても良い。
【００５１】
次に、ステップ３６〜ステップ４１迄は、図１に基づいて実施例１ですでに説明したので、その詳細な説明は省略する。人形完成までのその後の工程も実施例１と同様であるので（ステップ１０７〜ステップ１１６）、その詳細な説明は省略する。
【００５２】
このようにしたので、カーボンを含む塗料による塗装処理で、芯胴を濡らす必要もないので、芯胴を乾燥するための時間をとる必要もなく、人形の裸形の制作時間を大幅に短縮することが出来る。さらに、実施例１と同様な各種の効果が得られることは勿論のこと、衣装の湿気も良く吸収され、防湿効果をさらに向上させることが出来る。
【００５３】
【実施例５】
この発明の第５の実施例は、実施例２のように、裸形の人形を覆う衣装の一部を、カーボンを含む塗料により塗装処理する代わりに、衣装のいずれかの箇所に、木炭を収納するための収納部を形成するとともに、この収納部に木炭を収納するようにしたものである。
【００５４】
図５は、この発明の第５の実施例を示す要部工程図である。まず、実施例２の場合と同様に、人形の裸形を形成する（ステップ１００〜ステップ１０６）。次に、図５において、上記実施例２で説明したと同様に、完成した裸形の人形が着る下着や上着を形成するための衣装用の生地や裏打ち用の和紙等を準備する（ステップ４２）。次いで、これら衣装用の生地から上着、下着等の衣装を形成する工程におけるいずれかの段階で（ステップ４３〜ステップ４７）、木炭を収納するための収納部を形成し（ステップ４８）、この収納部に木炭を収納する（ステップ４９）。
【００５５】
なお、収納部は、図５に示すように、衣装の形成段階であるステップ４３〜ステップ４７のいずれの段階で形成してもよく、又、各形成段階における衣装のすべてに形成して、それぞれこれら複数の各収納部に木炭を収納してもよい。又、衣装に収納部を作り付けずに、木炭の収納部は、別途、独立に形成して重ね着される衣装のいずれかの箇所に縫いつけたり、衣装を裸形の人形へ着せ付ける段階で、衣装と衣装の間に挿入するようにしても良い。
【００５６】
又、この実施例５の場合には、上記実施例４の場合と同様に、木炭としては、最も防虫、防湿、防臭効果のよい備長炭が使用されているが、その他の木炭であっても良く、同様な作用効果がある。なお、収納部に収納される木炭は、固形状であっても良く、あるいは収納しやすいように、砕いた状態のものでも、粉末状にしたものであっても良い。
【００５７】
次に、図２に基づいて実施例２で説明したので、その詳細な説明は省略するが、下着の裾を重ね（ステップ５０）、裸形の人形への着せ付けが終了すると（ステップ５１）、これに頭、手足を取り付けて（ステップ５２）人形が完成する（ステップ５３）。
【００５８】
このようにしたので、上記実施例２、実施例３のように、カーボンを含む塗料による塗装処理により衣装を濡らす必要もないので、衣装を乾燥させる時間をとる必要もないから、衣装の制作時間を短縮することが出来る。さらに、実施例２、実施例３と同様な各種の効果が得られることは勿論のこと、上記実施例のように、塗料に浸したり、塗布したり、吹き付ける等の方法によるものより、多くの木炭（備長炭）を収納できるので、これらの効果はさらに向上する。
【００５９】
【実施例６】
この発明の第６の実施例は、実施例２のように、裸形の人形を覆う衣装の生地を、カーボンを含む塗料により塗装処理する代わりに、衣装用の生地を、カーボンを含む繊維で製造した生地を用いて形成したものである。
【００６０】
図６は、この発明による第６の実施例を示すもので、裸形の人形に着せる衣装を形成し、着せ付ける要部工程図である。先ず、実施例２と胴湯に、人形の裸形を完成する（ステップ１００〜ステップ１０６）。次に、この実施例６の場合には、衣装として使用する生地は、備長炭を含む繊維で製造されている生地（ステップ６０）を用い、この生地が準備される（ステップ６１）。以下の工程は、図２に基づいて上記実施例２で説明したので、その詳細な説明は省略するが、実施例２で述べたと同様に、衣装が形成され（ステップ６２〜ステップ６７）、裸形の人形に着せ付け（ステップ６８）、手足、頭が取り付けられると（ステップ６９）、人形は完成する（ステップ７０）。
【００６１】
なお、カーボンを含む繊維で製造した生地としては、この実施例６の場合には、木炭である備長炭を含む繊維が使用されているが、その他の木炭でも良く、同様な作用効果がある。又、カーボンを含む繊維で製造した生地で形成された衣装は、木炭が使用されている場合には、繊維が黒いので、製造された生地は、黒くなる。そこで、下着の衣装のみにこの生地を使用し、上着は通常の生地を使用しても良い。又、裏打ち用の和紙の代わりに、カーボンを含む繊維で製造した生地を裏打ち用の生地に用いてもよい。
【００６２】
このようにしたので、実施例２、実施例３と同様な防虫、防湿、防臭、防かび効果及びイオン効果、ヒーリング効果がある。さらに、芯胴や衣装への塗装処理工程、芯胴や衣装への木炭を収納するための収納部を形成する工程等を省略出来るので、人形制作の工程数を大幅に減少することが出来る。
【００６３】
【実施例７】
この発明の第７の実施例は、木彫り人形、桐塑人形等のように、木から造形される木彫り人形に、この発明を適用したもので、図７に示すように、木彫り人形用の木材を準備し（ステップ７１）、鋸、ノミ、刀等の工具で木彫り人形の原形を形成し、この原形を砥石で磨いて木肌を整え、要所要所にちぎった和紙等で目張りをして木彫り人形の裸形を形成する（ステップ７２）。次いで、この裸形の木彫り人形を、カーボンを含む塗料により塗装処理を施す（ステップ７３）。なお、和紙で目張りをする前に、木彫り人形の原形を形成した段階で、塗装処理を施してもよい。
【００６４】
一方、木彫り人形には、木屑（おが屑）を漆で練り、これを木芯にモデリングした桐塑人形がある。この場合も同様に、桐塑人形の裸形を形成し（ステップ７２）、次いで、この裸形の木彫り人形を、カーボンを含む塗料により塗装処理を施す（ステップ７３）。
【００６５】
なお、各実施例の場合と同様に、この実施例７では、カーボンを含む塗料としては、木炭の一種である備長炭を超微細粒子に特殊加工して塗料化した水性の塗料が使用されているが、その他の木炭でも良く、同様な作用効果がある。
【００６６】
又、塗装処理方法としては、実施例１〜実施例３の場合と同様に、備長炭を使用した塗料の水性液中に浸したり、表面に刷毛等で塗布する方法や吹き付ける方法等用いられている。
【００６７】
このようにして目張りの終わった木彫り人形及び桐塑人形の生地（裸形）には、胡紛で地塗り、中塗り、上塗りが行なわれる。最後に衣装のデザインが、顔料や塗料等により彩色され（ステップ７４）、木彫り人形が完成される（ストップ７５）。
【００６８】
このようにしたので、実施例１等と同様に、木彫り人形の裸形は、カーボンを含む塗料として備長炭から製造された塗料により塗装処理されているので、防虫効果、防湿効果、防臭効果がある。さらに、備長炭によるイオン効果、ヒーリング効果もあり、環境に良好ある。又、かびの発生もない等の効果がある。
【００６９】
【実施例８】
この発明の第８の実施例は、木彫り人形、桐塑人形等のように、木から造形される木彫り人形に、この発明を適用したもので、図８に示すように、木彫り人形用の木材を準備し（ステップ８０）、鋸、ノミ、刀等の工具で木彫り人形の原形を形成し（ステップ８１）、この原形を砥石で磨いて木肌を整えるとともに、木炭を収納するための収納部を形成する（ステップ８２）。
【００７０】
次いで、この収納部に木炭を収納するとともに（ステップ８３）、収納部の開口部は通気性のある和紙等で閉鎖する。次いで、要所要所にちぎった和紙等で目張りをして木彫り人形の裸形を形成し、この木彫り人形の裸形に、衣装となるデザインを施すと（ステップ８４）、木彫り人形は完成する（ステップ８５）。なお、収納部は、外気との通気性が必要であるから、人形の下面から内部上方向へと彫り込むのが好適である。
【００７１】
なお、この実施例８の場合には、木炭としては、上記各実施例と同様に、最っも防虫、防湿、防臭効果のよい備長炭が使用されているが、その他の木炭であっても良く、同様な作用効果がある。なお、収納部に収納される木炭は、固形状であっても良く、あるいは収納しやすいように、砕いた状態のものでも、又、粉末状にしたものであっても良い。
【００７２】
このようにしたので、防虫効果、防湿効果、防臭効果がある。さらに、人形が飾られている部屋では、備長炭によるイオン効果、ヒーリング効果もあり、環境に良好である。又、かびの発生もない等の効果がある。
【００７３】
さらに、上記実施例７のように、カーボンを含む塗料による塗装処理により裸形の木彫り人形を濡らす必要もないので、乾燥させるための時間をとる必要もなく、裸形の木彫り人形の制作時間を大幅に短縮することが出来る。
【００７４】
【発明の効果】
請求項１に係わる発明は、少なくとも人形の胴体部分をなす芯胴を形成する工程を有する人形の裸形を形成する工程と、この人形の裸形を覆う衣装を形成するとともに、この衣装を人形の裸形に着せ付ける工程とを有する人形の製造方法において、芯胴を形成する工程の後に、この芯胴を、カーボンを含む塗料で塗装処理する工程を附加したので、防虫効果、防湿効果、防臭効果がある。又、かびの発生もない等の効果がある。
【００７５】
さらに、備長炭を含む塗料を使用したものは、備長炭によるイオン効果、ヒーリング効果もあり、環境に良好である。又、衣装やその他の付属品が化学製品で形成され、ホルムアルデヒド等の体に有害な化学物質が発生する場合にも、この有害な物質を吸収することが出来る。
【００７６】
請求項４に係わる発明は、芯胴にカーボンを含む塗料で塗装処理する工程を附加する代わりに、裸形の人形の衣装を形成する工程の前に、この衣装の生地を、カーボンを含む塗料で塗装処理する工程を附加するようにしたので、上記請求項１と同様な作用効果がある。その上、衣装を直接この発明による備長炭を含む塗料により塗装処理しているので、防虫、防臭、防湿、防かび効果は勿論の事、人形の鑑賞者に対するイオン効果、ヒーリング効果が実施例１の場合のものよりさらに良くなるという効果がある。
【００７７】
請求項５に係わる発明は、芯胴を形成する工程の後と、衣装を形成する工程の前とに、それぞれ芯胴と衣装の生地とを、カーボンを含む塗料で塗装処理する工程を附加したので、上記請求項１及び請求項２と同様な作用効果がある。その上、芯胴及び衣装とに、それぞれ備長炭を含む塗料により塗装処理をしているので、防虫、防臭、防湿、防かび効果は勿論の事、人形の鑑賞者に対するイオン効果、ヒーリング効果が、実施例１及び実施例２の場合のものよりさらに良くなる効果がある。
【００７８】
請求項９に係わる発明は、カーボンを含む塗料は、木材から製造した木炭を超微粒子に特殊加工して塗料化したものであり、請求項１０に係わる発明は、木材から製造した木炭は、備長炭であり、請求項１１に係わる発明は、カーボンを含む塗料は、水性塗料としたので、塗装処理方法が容易である。
【００７９】
請求項１２に係わる発明は、芯胴を形成する工程の後に、この芯胴をカーボンを含む塗料で塗装処理する工程の代わりに、芯胴に木炭を収納するための収納部を形成する工程と、この収納部に木炭を収納する工程とを附加し、請求項１３に係わる発明は、芯胴の収納部に収納した木炭は備長炭にしたので、カーボンを含む塗料による塗装処理により芯胴を濡らす必要もないので、乾燥する時間をとる必要もなく、裸形人形の制作時間を、大幅に短縮することが出来る。さらに、実施例１と同様な各種の効果が得られることは勿論のこと、衣装の湿気も良く吸収され、防湿効果をさらに向上させることが出来る。
【００８０】
請求項１４に係わる発明は、衣装の生地を、カーボンを含む塗料で塗装処理する工程の代わりに、衣装の形成工程におけるいずれかの段階で、衣装に木炭を収納するための収納部を形成する工程と、この収納部に木炭を収納する工程とを附加し、請求項１５に係わる発明は、衣装の収納部に収納した木炭は、備長炭にしたので、上記請求項４、請求項５のように、塗装処理により衣装を濡らす必要もないので、衣装を乾燥させる時間をとる必要もないから、衣装の制作時間を短縮することが出来る。さらに、請求項４、請求項５と同様な各種の効果が得られることは勿論のこと、上記実施例のように、衣装をカーボンを含む塗料に浸したり、塗布したり、吹き付ける等の塗装処理方法によるものより、多くの木炭（備長炭）を収納できるので、これらの効果はさらに向上する。
【００８１】
請求項１６に係わる発明は、少なくとも人形の胴体部分をなす芯胴を形成する工程を有する人形の裸形を形成する工程と、この人形の裸形を覆う衣装を形成するとともに、この衣装を人形の裸形に着せ付ける工程とを有する人形の製造方法において、人形の衣装を形成する工程の前に、この衣装の生地を、カーボンを含む繊維で形成する工程を附加し、請求項１７に係わる発明は、カーボンを含む繊維は、木材から製造した木炭を含む繊維であり、請求項１８に係わる発明は、木炭は、備長炭としたので、防虫、防湿、防臭、防かび効果、イオン効果、ヒーリング効果がある。さらに、芯胴や衣装への塗装処理工程、芯胴や衣装への木炭を収納するための収納部を形成する工程等を省略出来るので、人形制作の工程数を大幅に減少することが出来る。
【００８２】
請求項１９に係わる発明は、少なくとも木彫り人形の裸形を製造する工程と、この木彫り人形の裸形に、衣装のデザインを着色する工程とを有する木彫り人形の製造方法において、木彫り人形の裸形に、衣装のデザインを着色する工程の前に、裸形をカーボンを含む塗料で塗装処理する工程を附加し、請求項２０〜請求項２２に係わる発明は、それぞれカーボンを含む塗料の塗装処理方法は、この塗料液中に、木彫り人形の裸形を浸し、カーボンを含む塗料を木彫り人形の裸形に塗布し、又は吹き付けるようにし、請求項２３に係わる発明は、カーボンを含む塗料は、木材から製造した木炭を超微粒子に特殊加工して塗料化したものであり、請求項２４に係わる発明は、木材から製造した木炭は、備長炭にし、請求項２５に係わる発明は、カーボンを含む塗料は、水性塗料としたたので、防虫効果、防湿効果、防臭効果がある。さらに、備長炭によるイオン効果、ヒーリング効果もあり、環境に良好である。又、かびの発生もない等の効果がある。
【００８３】
請求項２６に係わる発明は、木彫り人形の裸形にカーボンを含む塗料で塗装処理する工程の代わりに、木彫り人形の裸形に、木炭を収納する収納部を形成するとともに、この収納部に木炭を収納する工程を附加し、請求項２７に係わる発明は、木炭は、備長炭にしたので、防虫効果、防湿効果、防臭効果がある。さらに、人形が飾られている部屋では、備長炭によるイオン効果、ヒーリング効果もあり、環境に良好である。又、かびの発生もない等の効果がある。さらに、カーボンを含む塗料による塗装処理により裸形の木彫り人形を濡らす必要もないので、乾燥させるための時間をとる必要もなく、裸形の木彫り人形の制作時間を大幅に短縮することが出来る。
【図面の簡単な説明】
【図１】この発明の第１の実施例を示すもので、人形の裸形を形成する手順を示す要部工程図である。
【図２】この発明の第２の実施例を示すもので、人形の裸形を覆う衣装を形成するとともに、この衣装を着せ付ける手順を示す要部工程図である。
【図３】この発明の第３の実施例を示すもので、人形の裸形を形成する手順を示す要部工程図である。
【図４】この発明の第４の実施例を示すもので、人形の裸形を形成する手順を示す要部工程図である。
【図５】この発明の第５の実施例を示すもので、人形の裸形を覆う衣装を形成するとともに、この衣装を着せ付ける手順を示す要部工程図である。
【図６】この発明の第６の実施例を示すもので、人形の裸形を覆う衣装を形成するとともに、この衣装を着せ付ける手順を示す要部工程図である。
【図７】この発明の第７の実施例を示すもので、木彫り人形を形成する手順を示す要部工程図である。
【図８】この発明の８実施例を示すもので、木彫り人形を形成する手順を示す要部工程図である。
【図９】従来例を示すもので、人形の裸形を形成する手順を示す要部工程図である。
【図１０】従来例を示すもので、人形の裸形を覆う衣装を形成するとともに、この衣装を着せ付ける手順を示す要部工程図である。
【図１１】従来例を示すもので、芯胴Ａの要部斜視図である。
【符号の説明】
Ａ……芯胴
Ｂ……腕となる針金
【図１】
2004337221.tif 000003
【図２】
2004337221.tif 000004
【図３】
2004337221.tif 000005
【図４】
2004337221.tif 000006
【図５】
2004337221.tif 000007
【図６】
2004337221.tif 000008
【図７】
2004337221.tif 000009
【図８】
2004337221.tif 000010
【図９】
2004337221.tif 000011
【図１０】
2004337221.tif 000012
【図１１】
2004337221.tif 000013